(57)【要約】【課題】通信処理時間が短く、しかも必要な計測要素が変更されても、計測機器とPLCとの間でデータ送受信する計測要素を容易かつ迅速に変更することが可能となり、また、ユーザでの変更も可能とする。【解決手段】計測要素選定装置２による計測機器４毎の選択され前記登録された計測要素の情報が制御装置１に送られて制御装置１に保存され、制御装置１は、保存された計測機器４毎の選択され前記登録された計測要素の情報に基づいて、複数の計測機器の各々に計測が必要な計測要素の計測データを要求し、計測機器４の各々は、計測が必要な計測要素の計測データの要求に応じて計測した計測要素のうちの計測が必要な計測要素の計測データを制御装置１に送る。【選択図】図１
2014229108.tif 000002
【特許請求の範囲】
【請求項１】
計測要素を計測する複数の計測機器に制御装置が計測データを要求し前記計測データの前記要求に対して前記計測機器の各々から送られてきた前記計測データを前記制御装置が収集して前記計測要素を監視する計測監視システムにおいて、
前記計測機器の各々で計測可能な計測要素が収録され、この収録された前記複数の計測機器の各々で計測可能な計測要素のなかから前記計測機器の各々で計測が必要な前記計測要素を前記計測機器毎に選択して登録することが可能な計測要素選定装置を備え、
前記計測要素選定装置による前記計測機器毎の前記選択され前記登録された前記計測要素の情報が前記制御装置に送られて前記制御装置に保存され、
前記制御装置は、前記保存された前記計測機器毎の前記選択され前記登録された前記計測要素の情報に基づいて、前記複数の計測機器の各々に前記計測が必要な前記計測要素の前記計測データを要求し、
前記計測機器の各々は、前記計測が必要な前記計測要素の前記計測データの要求に応じて計測した前記計測要素のうちの前記計測が必要な前記計測要素の前記計測データを前記制御装置に送り、
前記制御装置は、前記計測機器の各々の前記計測が必要な前記計測要素の監視を行う
ことを特徴とする計測監視システム。
【請求項２】
請求項１に記載の計測監視システムにおいて、
前記計測要素選定装置は前記計測機器の各々で計測可能な計測要素を収録した一覧リストである計測要素一覧リストを有し、前記計測要素一覧リストに収録された前記計測機器の各々で計測が必要な前記計測要素が前記計測機器毎に選択されて登録される
ことを特徴とする計測監視システム。
【請求項３】
請求項２に記載の計測監視システムにおいて、
前記計測要素一覧リストが前記計測要素選定装置に画面表示され、この画面表示された前記計測要素一覧リストに収録された計測要素のなかから前記計測機器の各々で計測が必要な前記計測要素が前記計測機器毎に選択されて登録される
ことを特徴とする計測監視システム。
【請求項４】
請求項１〜３の何れか一に記載の計測監視システムにおいて、
前記制御装置に送られた、前記計測が必要な前記計測要素の前記計測データの要求に応じて計測した前記計測要素のうちの前記計測が必要な前記計測要素の前記計測データが、表示装置に表示される
ことを特徴とする計測監視システム。
【請求項５】
請求項４に記載の計測監視システムにおいて、
前記表示装置と前記計測要素選定装置とが一体化されている
ことを特徴とする計測監視システム。
【発明の詳細な説明】
【技術分野】
【０００１】
この発明は、複数の計測機器で計測された複数の計測要素（電流、電圧、電力等）を監視する計測監視システムに関するものである。
【背景技術】
【０００２】
電力監視システムにおいて、電力設備の計測機器より計測要素のデータを取得する方法として、計測機器とPLC（Programmable Logic Controller）をフィールドバスで接続し、PLCより計測要素のデータ要求コマンドを送信して、計測機器からデータの返信を受けるやりかたがある。
【先行技術文献】
【特許文献】
【０００３】
【特許文献１】特開２００３−２０２９１８号公報
【発明の概要】
【発明が解決しようとする課題】
【０００４】
電力設備の計測機器においては、1機種で測定可能な計測要素（電流、電圧、電力等）の種類は増えてきており、数百種類の計測要素を測定可能な計測機器もある。
しかし、データの数が多いほど通信処理時間は延びるため、それらを収集するPLCソフトウェアについては、必要な計測要素のみに絞ってデータ要求コマンド送信・データ受信を行うよう、作りこむ必要がある。
そのため、電力監視システムを構築する場合、多種の計測要素を測定可能な計測機器を採用しても、PLCソフトウェア作りこみ工程のために、工程の早い段階で必要な計測要素を決めておく必要があり、変更が発生した場合は、PLCソフトウェアの再度の作りこみが必要となり、全体工程の遅延や作業のやり直しを引き起こす。
また、PLCソフトウェアの作りこみには専門知識を要するため、ユーザが必要な計測要素を安易に変更することもできない。
【０００５】
本発明は、上記問題を解決するためになされたものであり、通信処理時間が短く、しかも必要な計測要素が変更されても、計測機器とPLCとの間でデータ送受信する計測要素を容易かつ迅速に変更することが可能となり、また、ユーザでの変更も可能とすることを目的とするものである。
【課題を解決するための手段】
【０００６】
この発明に係る計測監視システムは、計測要素を計測する複数の計測機器に制御装置が計測データを要求し前記計測データの前記要求に対して前記計測機器の各々から送れてきた前記計測データを前記制御装置が収集して前記計測要素を監視する計測監視システムにおいて、前記計測機器の各々で計測可能な計測要素が収録されこの収録された前記複数の計測機器の各々で計測可能な計測要素のなかから前記計測機器の各々で計測が必要な前記計測要素を前記計測機器毎に選択して登録することが可能な計測要素選定装置を備え、前記計測要素選定装置による前記計測機器毎の前記選択され前記登録された前記計測要素の情報が前記制御装置に送られて前記制御装置に保存され、前記制御装置は、前記保存された前記計測機器毎の前記選択され前記登録された前記計測要素の情報に基づいて、前記複数の計測機器の各々に前記計測が必要な前記計測要素の前記計測データを要求し、前記計測機器の各々は、前記計測が必要な前記計測要素の前記計測データの要求に応じて計測した前記計測要素のうちの前記計測が必要な前記計測要素の前記計測データを前記制御装置に送り、前記制御装置は、前記計測機器の各々の前記計測が必要な前記計測要素の監視を行うものである。
【発明の効果】
【０００７】
この発明は、計測要素を計測する複数の計測機器に制御装置が計測データを要求し前記計測データの前記要求に対して前記計測機器の各々から送れてきた前記計測データを前記制御装置が収集して前記計測要素を監視する計測監視システムにおいて、前記計測機器の各々で計測可能な計測要素が収録されこの収録された前記複数の計測機器の各々で計測可能な計測要素のなかから前記計測機器の各々で計測が必要な前記計測要素を前記計測機器毎に選択して登録することが可能な計測要素選定装置を備え、前記計測要素選定装置による前記計測機器毎の前記選択され前記登録された前記計測要素の情報が前記制御装置に送られて前記制御装置に保存され、前記制御装置は、前記保存された前記計測機器毎の前記選択され前記登録された前記計測要素の情報に基づいて、前記複数の計測機器の各々に前記計測が必要な前記計測要素の前記計測データを要求し、前記計測機器の各々は、前記計測が必要な前記計測要素の前記計測データの要求に応じて計測した前記計測要素のうちの前記計測が必要な前記計測要素の前記計測データを前記制御装置に送り、前記制御装置は、前記計測機器の各々の前記計測が必要な前記計測要素の監視を行うので、通信処理時間が短く、しかも必要な計測要素が変更されても、計測機器とPLCとの間でデータ送受信する計測要素を容易かつ迅速に変更することが可能となり、また、ユーザでの変更も可能となる効果がある。
【図面の簡単な説明】
【０００８】
【図１】この発明の実施の形態１における、システムの全体構成を示す図である。
【図２】この発明の実施の形態１、2における、システムのブロック図である。
【図３】図１、図２に示すシステム全体のフローチャートである。
【図４】この発明の実施の形態１、2における、各計測機器とPLCとのデータ送受信の対象とする計測要素の登録画面図である。
【図５】図４に示す登録画面の操作フローチャートである。
【図６】この発明の実施の形態２における、システムの全体構成を示す図である。
【発明を実施するための形態】
【０００９】
実施の形態１．
図１は、この発明の実施の形態１における、システムの全体構成を示すものである。
1は計測機器に対し、計測要素のデータ要求コマンドを送信し、返信データを受信する制御装置（以下PLCと記す）、2は計測機器毎に、必要な計測要素を登録する画面インターフェイスを持ち、登録した情報をパラメータとしてPLC1に送信する計測要素選定装置（以下エンジニアリングユニットと記す）、3はPLCが収集したデータ値を表示する表示ユニット、4は計測機器、5は計測機器4が計測し、データ保持している各種計測要素、6はPLC1と計測機器4を接続し、データの経路となるフィールドバス、7はPLC1と計測機器4がフィールドバス6上にてデータ送受信の対象とする送受信対象計測要素である。
【００１０】
図２は、この発明の実施の形態１,2における、システムのブロック図を示すものである。   （実施形態2の場合はエンジニアリングユニットと表示ユニットは同一ユニット。）、101はエンジニアリングユニット2（実施形態2の場合は表示/エンジニアリングユニット8）において、データ送受信対象とする計測要素の登録画面を表示する計測要素登録画面表示部、102は計測要素登録画面表示部101で登録された情報をパラメータとしてPLCに送付する登録情報送信部、103はPLC1内部にて、登録情報送信部102が送信したパラメータ（登録情報）を保持するメモリ空間、104はメモリ空間103内のパラメータ（登録情報）の変化をチェックする登録情報変化検出部、105はPLC1内の各部を制御する制御部、106はメモリ空間103内の登録情報を読み出す登録情報読出部、107は計測機器に対し、計測要素のデータ要求コマンドを送信し、計測機器から返信されたデータを受信するデータ要求・受信部、108はデータ要求・受信部107内部で保持されている、各種計測要素に対応したデータ要求コマンド送信処理及び返信データ受信処理を実行可能な、データ要求・受信モジュール群である。
【００１１】
図３のフローチャートを用いて、図１、図２に示すシステム全体のフローを説明する。
操作者は、エンジニアリングユニット2にて、計測要素登録画面表示部101が表示する登録画面を開き、各計測機器4の送受信対象計測要素7を登録する。（ステップST201）
【００１２】
エンジニアリングユニット2にて、登録情報送信部102は、登録情報をパラメータとしてPLC1のメモリ空間103に書き込む。（ステップST202）
【００１３】
PLC1内の登録情報変化検出部104は、メモリ空間103内のパラメータの変化を検出し、制御部105に通知する。制御部105は登録情報読出部106に実行命令を通知する。登録情報読出部106は、メモリ空間103内のパラメータを読み込んで制御部5に送信する。（ステップST203）
【００１４】
PLC1内の制御部5は、パラメータをデータ要求・受信部107に送信する。データ要求・受信部107は、パラメータより、各計測機器4に対する送受信対象計測要素7を判定する。その後、計測機器4との通信を開始し、計測機器4毎に、保持しているデータ要求・受信のモジュール群108の中から、送受信対象計測要素7に対応するモジュールを選択し、実行する。
これにより、フィールドバス6経由で、各計測機器4に対して、それぞれの送受信対象計測要素7のデータ要求コマンドが送信される。（ステップST204）
【００１５】
計測機器4は、送受信対象計測要素7のデータ要求コマンドを受信し、受信対象計測要素7のデータをフィールドバス6を経由してPLC1に返信する。（ステップST205）
【００１６】
PLC1内のデータ要求・受信部107は、返信された送受信対象計測要素7を受信し、制御部5に送信する。制御5は、送受信対象計測要素7のデータを表示ユニット3に送信する。（ステップST206）
【００１７】
表示ユニット3は、送受信対象計測要素7のデータを表示する。（ステップST207）
【００１８】
図４は、実施形態1のエンジニアリングユニット2（実施形態2の場合は、表示/エンジニアリングユニット8）において、計測機器4毎に送受信対象計測要素7を登録する画面である。301は計測機器が収集・データ保持している計測要素を一覧表示する計測要素一覧リスト、302は計測要素一覧リスト301の表示内容を変更する計測要素一覧リストスクロールバー、303は計測機器毎の送受信対象計測要素7の内容を示す計測要素登録リスト、304は計測要素登録リスト303の表示内容を変更する計測要素登録リストスクロールバー、305は計測要素の登録を実行する   登録ボタン、306は計測要素の削除を実行する削除ボタン、307は登録内容を保存する保存ボタン、308は保存された登録内容をPLC1に送信する送信ボタン、309は画面を終了する終了ボタンである。
【００１９】
図５のフローチャートを用いて、図４での送受信対象計測要素7を登録するフローを説明する。
操作者は、エンジニアリングユニット2にて、図４の画面を開き、計測要素登録リスト303において、計測要素を登録する計測機器の列を選択する。表示内容を変更する場合は、計測要素登録リストスクロールバー304を移動する。(ステップST401)
【００２０】
計測要素一覧リスト301にて、必要な計測要素を選択する。表示内容を変更する場合は、計測要素一覧リストスクロールバー302を移動する。登録ボタン305をクリックすることで、計測要素登録リスト303に、選択した計測要素が登録される。(ステップST402)
【００２１】
計測要素一覧リスト304にて、各計測機器に登録されている計測要素の内、不要なものを選択する。削除ボタン306をクリックすることで、計測要素登録リスト303より、選択した計測要素が削除される。(ステップST403)
【００２２】
保存ボタン307をクリックすることで、登録情報が保存される。(ステップST404)
送信ボタン308をクリックすることで、登録情報がPLCに送信される。(ステップST405)
終了ボタン309をクリックすることで、画面を終了する。(ステップST406)
【００２３】
以上により、計測機器4から取得する送受信対象計測要素7を変更したい場合、操作者はエンジニアリングユニット2の登録画面を開き、計測要素の登録内容を変更するだけで対応可能となる。図４に示しているように、登録内容の変更は、視覚的に可能であり、PLCソフトウェアの専門知識のない、ユーザ側での変更も可能となる。
【００２４】
実施の形態２．
図６は、この発明の実施の形態２における、システムの全体構成を示すものである。
1は計測機器に対し、計測要素のデータ要求コマンドを送信し、返信データを受信するPLC、8は計測機器毎に、必要な計測要素を登録する画面インターフェイスを持ち、登録した情報をパラメータとしてPLC1に送信し、また、PLC1が収集したデータ値を表示する表示/エンジニアリングユニット、4は計測機器、5は計測機器4が計測し、データ保持している各種計測要素、6はPLC1と計測機器4を接続し、データの経路となるフィールドバス、7はPLC1と計測機器4がフィールドバス上にてデータ送受信の対象とする送受信対象計測要素である。
【００２５】
実施の形態２が実施の形態１より優れた点としては、実施の形態１では、計測要素の登録及び登録情報のPLC1への書込みは、エンジニアリングユニット2にて実施したが、表示/エンジニアリングユニット8（表示ユニット3に、エンジニアリングユニット2の機能を追加）を使用することにより、エンジニアリングユニット2を別途用意する必要がなくなる。
【００２６】
実施の形態１が実施の形態２より優れた点としては、実施の形態２では、計測要素を表示する画面で計測要素の登録画面を表示するため、計測要素の登録変更時時、計測要素のデータ閲覧を阻害する恐れがある。実施の形態１では、計測要素を表示する画面（表示ユニット3の画面）と、計測要素の登録画面（エンジニアリングユニット2）は別画面であるため、上記の恐れはない。
【００２７】
実施の形態１および実施の形態２は、前述のように、以下のような特徴を有している。
(1)PLCソフトウェアは、以下の仕様で作成する。
ａ．計測機器が計測している全ての計測要素について、計測機器にデータ要求コマンドを送信し、計測機器から返信されたデータを受信するモジュールを保持する。
ｂ．ａのモジュールの内、メモリ空間上のパラメータにより指定された計測要素に対応したもののみ、実行する。
ｃ．起動時、またはメモリ空間上のパラメータの変更発生時、パラメータの読み込みを行う。
(2)エンジニアリングユニットにて、計測機器毎に、データ送受信対象の計測要素を登録する画面を表示し、登録された計測要素の情報をパラメータとしてPLCのメモリ上に書き込む。
以上の構成・動作を行うシステムであれば、必要な計測要素が変更となっても、 (2)に示す登録画面で計測要素の登録内容を変更するだけで、計測機器⇔PLC間でデータ送受信する計測要素を変更できる。
【００２８】
なお、本発明は、その発明の範囲内において、各実施の形態を適宜、変形、省略することができる。
なお、各図中、同一符合は同一または相当部分を示す。
【符号の説明】
【００２９】
1  制御装置（PLC（Programmable Logic Controller））、
2  計測要素選定装置（エンジニアリングユニット）、  3    表示ユニット、
4  計測機器、                            5    計測要素、
6  フィールドバス、                      7    送受信対象計測要素、
8  表示/エンジニアリングユニット、      101    計測要素登録画面表示部、
102  登録情報送信部、                  103    メモリ空間、
104  登録情報変化検出部、              105    制御部、
106  登録情報読出部、                  107    データ要求・受信部、
108  データ要求・受信モジュール群、    301    計測要素一覧リスト、
302  計測要素一覧リストスクロールバー、303    計測要素登録リスト、
304  計測要素登録リストスクロールバー、305    登録ボタン、
306  削除ボタン、                      307    保存ボタン、
308  送信ボタン、                      309    終了ボタン。
【図１】
2014229108.tif 000003
【図２】
2014229108.tif 000004
【図３】
2014229108.tif 000005
【図６】
2014229108.tif 000006
【図４】
2014229108.tif 000007
【図５】
2014229108.tif 000008